(57)【要約】【課題】融通性が高く円滑な工程管理が可能な船舶生産管理システムを提供する。【解決手段】船舶の生産計画の工程情報を保存した工程管理データベース２に接続されたコンピュータ６により表示装置８に工程管理画面を表示させる船舶生産管理システム１であって、工程管理画面は、各工程に対応する工程マーク３５が作業日程に応じて配置されたスケジュール画面３１を有し、コンピュータ６は、前工程の終点マーク３６が後工程の始点マーク３７に時系列的にオーバーラップした状態でスケジュール画面３１が表示されるのを許容する。【選択図】図３
2010039698.tif 000002
【特許請求の範囲】
【請求項１】
船舶の生産計画の工程情報を保存した工程管理データベースに接続されたコンピュータにより表示装置に工程管理画面を表示させる船舶生産管理システムであって、
前記工程管理画面は、各工程に対応する工程マークが作業日程に応じて配置されたスケジュール画面を有し、
前記コンピュータは、前工程の工程マークの終点が後工程の工程マークの始点に時系列的にオーバーラップした状態で前記スケジュール画面が表示されるのを許容することを特徴とする船舶生産管理システム。
【請求項２】
前記コンピュータは、前記スケジュール画面において、前工程の工程マークの終点が後工程の工程マークの始点に時系列的にオーバーラップすると、当該オーバーラップ箇所の表示形態を変えることを特徴とする請求項１に記載の船舶生産管理システム。
【請求項３】
前記工程管理画面は、前記スケジュール画面において、前工程の工程マークの終点が後工程の工程マークの始点に時系列的にオーバーラップした状態となった工程を検索するための作業遅れ検索機能を有し、
前記コンピュータは、前記作業遅れ検索機能が実行されると、前記オーバーラップ状態の工程を前記表示装置に集約表示させることを特徴とする請求項１又は２に記載の船舶生産管理システム。
【請求項４】
前記スケジュール画面は、工場休日を表示せずに工場稼働日のみを表示した状態を初期設定とし、
前記コンピュータは、前記初期設定において、休日出勤により当該休日に工程を実施することが設定されると、前記工程マークのうち前記スケジュール画面上で当該休日に隣接する工場稼動日に対応する部分の表示形態を変えることを特徴とする請求項１乃至３のいずれかに記載の船舶生産管理システム。
【請求項５】
前記コンピュータは、前記スケジュール画面に複数の船舶に関する工程を同時表示させることを特徴とする請求項１乃至４のいずれかに記載の船舶生産管理システム。
【請求項６】
前記工程管理画面は、職種別作業総量を日程ごとにグラフ表示するリソース負荷画面を有し、
前記コンピュータは、前記リソース負荷画面を前記スケジュール画面と同時に表示可能であり、かつ、前記スケジュール画面上の工程マークの位置又は長さを変更するのに連動して前記リソース負荷画面上のグラフを変更することを特徴とする請求項１乃至５のいずれかに記載の船舶生産管理システム。
【請求項７】
前記コンピュータは、艤装品又は鋼材の入荷予定及び入荷実績を保存したデータベースに接続され、かつ、ユーザ端末に企業内コンテンツへの入口である企業内ポータルサイトを表示させるポータルサイト提供装置に接続されており、
前記コンピュータは、前記データベースを参照して所定のアラーム条件が生じている場合に前記ポータルサイト提供装置にアラームを送信し、前記企業内ポータルサイトのトップページに当該アラームを表示させることを特徴とする請求項１乃至６のいずれかに記載の船舶生産管理システム。
【発明の詳細な説明】
【技術分野】
【０００１】
本発明は、大型一品生産品である船舶の生産管理システムに関するものである。
【背景技術】
【０００２】
従来の造船工場では、各工程担当者が個別に工程表を作成して管理していたため、工場全体において時系列的に前後関係にある工程間に日程の矛盾が生じても、それを把握するのが難しい状況となっていた。さらに、最新の進捗実績を反映して直近の生産計画を修正する際に、工程ごとに進捗実績を収集するタイミングにズレが生じれば、そのズレが生産計画に持ち込まれてしまうことにもなる。
【０００３】
そこで、特許文献１では、造船工場において生産工程の管理を行うためのスケジューラーを開示している。スケジューラーは、それぞれの作業工程の開始から終了までの計画をディスプレイ画面に時系列的に表示するものであり、作業スケジュールに変更が生じた場合には、画面上で該当する工程の日程を変更できるようになっている。そして、スケジューラーは、作業スケジュールにおいて時系列的に前後の工程に干渉があれば、工程の日程をずらし、時系列的な干渉がないようにスケジュールを自動調整するようになっている。
【特許文献１】特開平１１−３２８２７６号公報
【発明の開示】
【発明が解決しようとする課題】
【０００４】
しかしながら、大型一品生産である造船作業においては作業工数が膨大となるため、ある工程の日程に遅れが生じた場合に、それに続く工程の日程をずらすようにスケジューラーが自動調整すると、その遅延が膨大な工程数において累積され、当初の生産計画に大幅な狂いが生じてしまう。
【０００５】
そこで本発明は、融通性が高く円滑な工程管理を行うことのできる船舶生産管理システムを提供することを目的としている。
【課題を解決するための手段】
【０００６】
本発明は前記事情に鑑みてなされたものであり、本発明に係る船舶生産管理システムは、船舶の生産計画の工程情報を保存した工程管理データベースに接続されたコンピュータにより表示装置に工程管理画面を表示させる船舶生産管理システムであって、前記工程管理画面は、各工程に対応する工程マークが作業日程に応じて配置されたスケジュール画面を有し、前記コンピュータは、前工程の工程マークの終点が後工程の工程マークの始点に時系列的にオーバーラップした状態で前記スケジュール画面が表示されるのを許容することを特徴とする。
【０００７】
前記構成によれば、スケジュール画面において、前工程の工程マークの終点が後工程の工程マークの始点に時系列的にオーバーラップすることが許容されるので、前工程の日程に遅れが生じても、その遅延が後続する多数の工程において累積されることが防止され、生産計画の大幅な変更を抑えることができる。よって、融通性が高く円滑な工程管理を実現することが可能となる。
【０００８】
前記コンピュータは、前記スケジュール画面において、前工程の工程マークの終点が後工程の工程マークの始点に時系列的にオーバーラップすると、当該オーバーラップ箇所の表示形態を変えてもよい。
【０００９】
前記構成によれば、ユーザは、前工程の工程マークの終点が後工程の工程マークの始点にオーバーラップした箇所を容易に認識することができ、日程遅れを挽回する対策等を迅速かつ確実に講じることが可能となる。
【００１０】
前記工程管理画面は、前記スケジュール画面において、前工程の工程マークの終点が後工程の工程マークの始点に時系列的にオーバーラップした状態となった工程を検索するための作業遅れ検索機能を有し、前記コンピュータは、前記作業遅れ検索機能が実行されると、前記オーバーラップ状態の工程を前記表示装置に集約表示させてもよい。
【００１１】
前記構成によれば、ユーザは、前工程の工程マークの終点が後工程の工程マークの始点にオーバーラップした箇所が複数発生しても、作業遅れ検索機能を用いて集約表示させることで、それらオーバーラップ箇所を漏れなく認識することができ、日程遅れを挽回する対策等を迅速かつ確実に講じることが可能となる。
【００１２】
前記スケジュール画面は、工場休日を表示せずに工場稼働日のみを表示した状態を初期設定とし、前記コンピュータは、前記初期設定において、休日出勤により当該休日に工程を実施することが設定されると、前記工程マークのうち前記スケジュール画面上で当該休日に隣接する工場稼動日に対応する部分の表示形態を変えてもよい。
【００１３】
前記構成によれば、スケジュール画面において工場休日を表示しないことで１画面内に多数の日程を表示できると共に、休日出勤により工程の作業が実施されていることを容易に把握することが可能となる。
【００１４】
前記コンピュータは、前記スケジュール画面に複数の船舶に関する工程を同時表示させてもよい。
【００１５】
前記構成によれば、複数の船舶が同時並行的に生産されている場合に、工場全体の作業を容易に管理することが可能となる。
【００１６】
前記工程管理画面は、職種別作業総量を日程ごとにグラフ表示するリソース負荷画面を有し、前記コンピュータは、前記リソース負荷画面を前記スケジュール画面と同時に表示可能であり、かつ、前記スケジュール画面上の工程マークの位置又は長さを変更するのに連動して前記リソース負荷画面上のグラフを変更してもよい。
【００１７】
前記構成によれば、ユーザは、日程間の作業負荷の変動が大きくなり過ぎないように、リソース負荷画面のグラフを見ながら、スケジュール画面で工程マークの位置又は長さを変更することができるので、作業負荷の調節作業を簡単かつ迅速に行うことが可能となる。
【００１８】
前記コンピュータは、艤装品又は鋼材の入荷予定及び入荷実績を保存したデータベースに接続され、かつ、ユーザ端末に企業内コンテンツへの入口である企業内ポータルサイトを表示させるポータルサイト提供装置に接続されており、前記コンピュータは、前記データベースを参照して所定のアラーム条件が生じている場合に前記ポータルサイト提供装置にアラームを送信し、前記企業内ポータルサイトのトップページに当該アラームを表示させてもよい。
【００１９】
前記構成によれば、艤装品や鋼材の発注遅れ等のようなアラーム条件が生じている場合に、多数の社員が閲覧する企業内ポータルサイトのトップページにアラームが表示されるので、アラームが長期間放置されることを抑止することが可能となる。
【発明の効果】
【００２０】
以上の説明から明らかなように、本発明によれば、融通性が高く円滑な工程管理を実現することが可能となる。
【発明を実施するための最良の形態】
【００２１】
以下、本発明に係る実施形態を図面を参照して説明する。
【００２２】
図１は本発明の実施形態に係る船舶生産管理システム１の全体ブロック図である。図１に示すように、船舶生産管理システム１は、工程管理データベース２、艤装品データベース３、鋼材データベース４及びＣＡＤ装置５を有し、それぞれネットワークを介してコンピュータ６に接続されている。コンピュータ６には、マウスやキーボード等からなる入力装置７と、液晶ディスプレイ等からなり各種の工程管理画面を表示する表示装置８とが接続されている。
【００２３】
工程管理データベース２は、船舶の生産計画の工程情報（部品ブロック構成ツリー、工程別職種別作業総量など）及び設備情報（工場カレンダー、ロケーション属性など）を保存している。艤装品データベース３は、艤装品の入荷予定及び入荷実績などを保存している。鋼材データベース４は、鋼材の入荷予定及び入荷実績などを保存している。ＣＡＤ装置５は、船舶の各種設計情報を保存しており、工程管理データベース２、艤装品データベース３及び鋼材データベース４に対しては、工程情報、艤装品及び鋼板についての情報を供給している。また、コンピュータ６には、企業内ユーザ端末に企業内コンテンツへの入口である企業内ポータルサイトを表示させるポータルサイト提供装置９にネットワークを介して接続されている。
【００２４】
図２は図１に示す船舶生産管理システム１における前工程のスケジュール画面２１を表す図面である。図２に示すように、第１工程管理ウィンドウ２０は、表示装置８により前工程のスケジュール画面２１を表示したものである。ここで、前工程は、たとえば船に搭載する部品ブロックを組み立てる作業などである。スケジュール画面２１は、縦軸に工場内ロケーション２３が配置され、横軸にカレンダー日程２２が配置されている。そして、スケジュール画面２１において縦軸と横軸により形成されるマトリクス領域２４には、船舶生産計画における前工程に対応する棒状の工程マーク２５がそれぞれ配置されている。この工程マーク２５は、その工程が発生する工場内ロケーション及び作業日程に対応するように縦軸及び横軸を参照して配置されている。なお、スケジュール画面２１は、複数の船舶に関する工程を同時表示させている。
【００２５】
図３は図１に示す船舶生産管理システム１における後工程のスケジュール画面３１を表す図面である。図３に示すように、第２工程管理ウィンドウ３０は、表示装置８により後工程のスケジュール画面３１を表示したものである。ここで、後工程は、たとえば前工程で組立完了した部品ブロックを船に搭載する作業などである。スケジュール画面３１は、縦軸に部品ブロック構成ツリー３３が配置され、横軸にカレンダー日程３２が配置されている。そして、スケジュール画面３１において縦軸と横軸により形成されるマトリクス領域３４には、船舶生産計画における後工程に対応する線状の工程マーク３５がそれぞれ配置されている。この工程マーク３５は、その工程が発生する部品ブロック名及び作業日程に対応するように縦軸及び横軸を参照して配置されている。
【００２６】
さらに、工程マーク３５の先頭には、その工程マーク３５に対応する後工程の作業開始日を意味する始点マーク３７が黒三角印で表示されている。この始点マーク３７の近傍には、後工程を開始する前に完了しているべき前工程（図２参照）の作業終了日を意味する終点マーク３６が白三角印で表示されている。なお、この終点マーク３６に対応する工程マーク２５自体は、図２に示す別の画面に表示されており、図３に示す画面内には表示されていない。
【００２７】
図３中のＸ箇所では、前工程の終点マーク３６が、後工程の始点マーク３７に時系列的にオーバーラップした状態で表示されことが許容されている。即ち、前工程の終点マーク３６が後工程の始点マーク３７よりも後の日程に配置されるスケジュール上の矛盾が生じても、自動調整されることなくそのまま表示されている。このようにすることで、前工程の日程に遅れが生じても、その遅延が後続する多数の工程において累積されることが防止され、生産計画の大幅な変更を抑えることが可能となっている。
【００２８】
そして、このオーバーラップした終点マーク３６及び始点マーク３７は、他のオーバーラップしていない終点マーク３６及び始点マーク３７とは表示色が変更された状態で表示されている。このようにすることで、ユーザは、前工程の終点マーク３６が後工程の始点マーク３７に時系列的にオーバーラップした箇所を容易に視認することができ、日程遅れを挽回する対策等を迅速かつ確実に講じることが可能となっている。
【００２９】
また、スケジュール画面３１は、工場休日を表示せずに工場稼働日のみを表示した状態を初期設定（デフォルト）としている。これにより、スケジュール画面３１において１画面内に多数の日程を表示可能となっている。なお、スケジュール画面３１は、設定変更により工場休日も表示させることも可能で、その場合には、工場休日は工場稼動日と異なる背景色で表示させるよう設定されている。
【００３０】
また、初期設定において、休日出勤により当該休日に工程を実施することが設定されている場合には、工程マーク３５のうち当該休日に隣接する工場稼動日に対応する部分に休日出勤マーク３８がされる。図３では、この休日出勤マーク３８は赤丸印で表示されている。これにより、ユーザは、休日出勤により工程の作業が実施されていることを容易に視認することが可能となっている。
【００３１】
図４は図１に示す船舶生産管理システム１における作業遅れ検索機能を説明する図面である。図４に示すように、第２工程管理ウィンドウ３０の「編集」タブをクリックすることで表示されるプルダウンメニュー４０には、作業遅れ検索機能を実行するための項目４１が設けられている。この項目４１をユーザがクリックすると、コンピュータ６は、工程管理データベース２を参照し、前工程の終点マーク３６が後工程の始点マーク３７に時系列的にオーバーラップした状態となった工程を自動的に検索し、その検索結果の一覧を作業遅れ一覧ウィンドウ４５として出力する。この作業遅れ一覧ウィンドウ４５では、当該オーバーラップ状態の工程が集約表示されている。このようにすることで、ユーザは、前工程の終点マーク３６が後工程の始点マーク３７に時系列的にオーバーラップした箇所が複数発生しても、作業遅れ一覧ウィンドウ４５により、それらオーバーラップ箇所を漏れなく認識することができ、日程遅れを挽回する対策等を迅速かつ確実に講じることが可能となる。
【００３２】
図５は図１に示す船舶生産管理システム１におけるスケジュール画面５１及びリソース負荷画面５２を表す図面である。図５に示すように、第３工程管理ウィンドウ５０は、上段にスケジュール画面５１が配置され、下段にリソース負荷画面５２が配置されている。即ち、リソース負荷画面５２は、表示装置８によりスケジュール画面５１と同時に表示されている。
【００３３】
スケジュール画面５１は、ある職種（例えば、塗装）の工程のみを表示した職種別スケジュール画面であって、縦軸に工場内ロケーション５４が配置され、横軸にカレンダー日程５３が配置されている。その縦軸と横軸により形成されるマトリクス領域５５には、ブロック状の工程マーク５８が工場内ロケーション及び作業日程に応じてそれぞれ配置されている。
【００３４】
リソース負荷画面５２は、縦軸に職種別作業総数５６が配置され、横軸は上段のスケジュール画面５１のカレンダー日程５３を共用している。リソース負荷画面５２において縦軸と横軸により形成されるマトリクス領域５７には、上段のスケジュール画面５１で表示された職種（例えば、塗装）のみの作業総量（即ち、職種別作業総量）を日程ごとに縦棒グラフ５９で表示している。つまり、ある日付におけるリソース負荷画面５２の棒グラフ５９の長さ（作業総量）は、同じ日付におけるスケジュール画面５１の工程マーク５８の数の合計に対応している。そして、ユーザがスケジュール画面５１上の工程マーク５８の位置（又は長さ）を変更操作すると、その操作に連動してリソース負荷画面５２上の棒グラフ５９も自動的に変更されるようになっている。このようにすることで、ユーザは、日程間の作業負荷の変動が大きくなり過ぎないように、リソース負荷画面５２の棒グラフ５９を見ながら、スケジュール画面５１で工程マーク５８の位置又は長さを変更することができるので、作業負荷の調節作業を簡単かつ迅速に行うことが可能となる。
【００３５】
図６は図１に示す船舶生産管理システム１における企業内ポータルサイトのトップページ６１を表す図面である。図６に示すように、ＷＥＢウィンドウ６０が、企業内ポータルサイトのトップページ６１を表示している。企業内ポータルサイトとは、企業の社員向けに企業内の様々なコンテンツを提供するポータルサイトであり、主にイントラネットで利用されるものである。この企業内ポータルサイトのトップページ６１は、ポータルサイト提供装置９（例えば、イントラネットサーバ等）により各社員のユーザ端末に表示される。企業内ポータルサイトのトップページ６１には、アラーム表示部６２が設けられている。アラーム表示部６２には、アラーム項目名とアラーム件数が表示されている。
【００３６】
コンピュータ６は、艤装品データベース３や鋼材データベース４を参照し、艤装品の入荷予定日が到来しても未だ入荷がなされていない場合や、鋼材の発注予定日が到来しても未だ発注がなされていない場合等の所定のアラーム条件が発生した場合には、ポータルサイト提供装置９にその旨のアラーム情報を送信する。そのアラーム情報を受信したポータルサイト提供装置９は、企業内ポータルサイトのトップページ６１のアラーム表示部６２において、該当するアラーム項目の表示件数をインクリメントさせる。このようにすることで、多数の社員が閲覧する企業内ポータルサイトのトップページ６１に、発注遅れや入荷遅れ等の各種アラームが表示されるので、アラームが長期間放置されることを抑止することが可能となる。
【産業上の利用可能性】
【００３７】
以上のように、本発明に係る船舶生産管理システムは、融通性が高く円滑な工程管理を実現できる優れた効果を有し、造船工場における生産管理に広く適用すると有益である。
【図面の簡単な説明】
【００３８】
【図１】本発明の実施形態に係る船舶生産管理システムの全体ブロック図である。
【図２】図１に示す船舶生産管理システムにおける前工程のスケジュール画面を表す図面である。
【図３】図１に示す船舶生産管理システムにおける後工程のスケジュール画面を表す図面である。
【図４】図１に示す船舶生産管理システムにおける作業遅れ検索機能を説明する図面である。
【図５】図１に示す船舶生産管理システムにおけるスケジュール画面及びリソース負荷画面を表す図面である。
【図６】図１に示す船舶生産管理システムにおける企業内ポータルサイトのトップページを表す図面である。
【符号の説明】
【００３９】
１  船舶生産管理システム
２  工程管理データベース
３  艤装品データベース
４  鋼材データベース
５  ＣＡＤ装置
６  コンピュータ
８  表示装置
９  ポータルサイト提供装置
２１，３１，５１  スケジュール画面
２５，３５，５８  工程マーク
３６  終点マーク
３７  始点マーク
３８  休日出勤マーク
５２  リソース負荷画面
５６  職種別作業総数
６１  トップページ
６２  アラーム表示部
【図１】
2010039698.tif 000003
【図２】
2010039698.tif 000004
【図３】
2010039698.tif 000005
【図４】
2010039698.tif 000006
【図５】
2010039698.tif 000007
【図６】
2010039698.tif 000008